(57)【要約】【課題】  ＩＳＯブラケティング撮影した一連の画像についてそれぞれ最適な画質を得る【解決手段】  ISOブラケティング撮影で、＋補正と−補正のISO値の設定をアナログゲイン調整（Ａ／Ｄ変換する前のアナログ信号のゲイン調整）とデジタルゲイン調整（Ａ／Ｄ変換して生成した画像データに対し、レベル補正、ガンマー調整処理を行う）の組み合わせで行い、撮影条件、補正方向により両者の組み合わせ方を異ならせる。【選択図】  図４
2005142607.tif 000002
【特許請求の範囲】
【請求項１】
撮像素子のアナログ出力信号に対しゲイン調整を行うアナログゲイン調整手段と、
前記ゲイン調整されたアナログ信号をＡ／Ｄ変換したデジタル信号より生成した画像データに対し、補正処理を行うことにより画像の露出レベルを補正する露出レベル調整手段を有し、
基準となるISO値での撮影および、前記基準となるISO値から高感度側へ変更したISO値での撮影、および前記基準となるISO値から低感度側へ変更したISO値での撮影を行わせるオートブラケティング撮影モードを備えたカメラにおいて、
前記オートブラケティング撮影モードの高感度側ないし低感度側への感度変更を、前記アナログゲイン調整手段と前記露出レベル調整手段を組み合わせて行う制御手段を有することを特徴とするカメラ。
【請求項２】
前記基準となるISO値の値および感度の変更量および感度の増減の方向に応じて、前記アナログゲイン調整手段の適用量と前記露出レベル調整手段の適用量を変更する制御手段を有することを特徴とする請求項１記載のカメラ。
【請求項３】
前記オートブラケティング撮影モード時に、前記基準となるISO値より所定のブラケティング量高感度側へISO値を変更する際に、
前記ブラケティング量が第１の所定値以下の場合、前記アナログゲイン調整手段を適用することによりISO値を変更し、
前記ブラケティング量が前記第１の所定値より大きい場合、前記第１の所定値分の感度変更を前記アナログゲイン調整手段を適用することにより行い、前記第１の所定値を超える分の感度変更を前記露出レベル調整手段を適用することにより行う制御手段を有し、
前記基準となるISO値の値により、前記第１の所定値を変更する制御手段を有することを特徴とする請求項1又は2記載のカメラ。
【請求項４】
設定されているISO値が高感度になるに従い、前記前記第１の所定値を漸次小さくする制御手段を備えることを特徴とする請求項３記載のカメラ。
【請求項５】
前記オートブラケティング撮影モード時に、前記基準となるISO値から高感度側へ変更したISO値は、前記基準となるISO値の上限値より高感度に設定可能な制御手段を有することを特徴とする請求項1から４のいずれか１つに記載のカメラ。
【請求項６】
前記オートブラケティング撮影モード時に、前記基準となるISO値から低感度側へ変更したISO値は、前記基準となるISO値の下限値より低感度に設定可能な制御手段を有することを特徴とする請求項1から５のいずれか１つに記載のカメラ。
【請求項７】
前記オートブラケティング撮影モード時に、設定されているISO値を基準として、低感度側へISO値を変更する際に、
前記低感度側のISO値が前記基準となるISO値の下限値以上の場合、前記アナログゲイン調整手段を適用することによりISO値を変更し、
前記低感度側のISO値が前記基準となるISO値の下限値より小さい場合、前記設定されているISO値と前記基準となるISO値の下限値の差分に相当する感度変更を前記アナログゲイン調整手段を適用することにより行い、前記前記基準となるISO値の下限値と前記低感度側のISO値の差分に相当する感度変更を前記露出レベル調整手段を適用することにより行う制御手段を有することを特徴とする請求項1から６のいずれか１つに記載のカメラ。
【請求項８】
撮像素子の感度を変更しながら複数回の撮影を行うブラケット撮影モードの設定が可能なカメラにおいて、
前記撮像素子のアナログ出力信号に対してゲイン調整を行うアナログゲイン調整手段と、
該アナログ調整手段の出力をデジタル信号に変換して生成された画像データに対して露出補正を行う露出レベル調整手段と、
前記アナログ調整手段および前記露出レベル調整手段の駆動を制御することによって、前記撮像素子の感度を変更する制御手段とを有することを特徴とするカメラ。
【発明の詳細な説明】
【技術分野】
【０００１】
本発明は、ISO値を、自動的に変化させながら連続撮影を行うオートブラケティング（段階露光）機能を有するカメラに関するものである。
【背景技術】
【０００２】
従来、銀塩フィルムを用いるスチルカメラでは、夕暮れのシーンや高反射率の被写体が部分的に存在するなど、適正な露出の決定が困難な場合には、同一シーンの露出をわずかに変えながら複数コマ撮影し、その中から適正な露出のコマを選択する、いわゆるオートブラケティング撮影が行われている。
【０００３】
撮影デバイスとして、ＣＣＤなどを用いる電子スチルカメラを利用する場合でも、露出に関する事情は同じであり、適正でない露光量で撮影を行うと暗い画像や、逆に明るすぎる画像しか得られないので、露出決定の難しいシーンでは、銀塩カメラと同様オートブラケティング撮影を行うことになる。
【０００４】
また、電子スチルカメラ特有の手法として、ISO値の値を自動的に変化させてオートブラケティング撮影を行う手法（以後、ＩＳＯブラケティングと記す）がある（例えば、特許文献１参照）。
【０００５】
電子スチルカメラで、ISO値を変更する手段としては、Ａ／Ｄ変換する前のアナログ信号に対しゲイン調整を行うことにより変更する手段（以下アナログゲイン調整と記す）と、Ａ／Ｄ変換して生成した画像データに対し、レベル補正、ガンマー調整処理を行うことにより変更する手段（以下デジタルゲイン調整と記す）がある。
【特許文献１】特開平１１−００４３８０号公報
【発明の開示】
【発明が解決しようとする課題】
【０００６】
ISOブラケティング時にアナログゲイン調整で感度を調整すると、高ISO側で撮影した画像は、Ｓ／Ｎ比の悪化のため、基準感度で撮影した画像と比較して画像のノイズが目立ちやすくなる問題がある。
【０００７】
また、デジタルゲイン調整で感度を調整すれば、ノイズリダクション等の画像処理をデジタル処理で行うことにより高感度側のノイズを目立たなくすることが可能であるが、デジタルゲイン調整に伴いハイライト部またはシャドー部の諧調が失われ、ダイナミックレンジが小さくなる問題がある。
【０００８】
また、あまり大幅にデジタルゲイン調整を行うと、過度のデジタル処理により不自然な画像となってしまう問題がある。
【課題を解決するための手段】
【０００９】
上記課題を解決するために請求項１記載のカメラは、撮像素子のアナログ出力信号に対しゲイン調整を行うアナログゲイン調整手段と、前記ゲイン調整されたアナログ信号をＡ／Ｄ変換したデジタル信号より生成した画像データに対し、補正処理を行うことにより画像の露出レベルを補正する露出レベル調整手段を有し、基準となるISO値での撮影および、前記基準となるISO値から高感度側へ変更したISO値での撮影、および前記基準となるISO値から低感度側へ変更したISO値での撮影を行わせるオートブラケティング撮影モードを備えたカメラにおいて、前記オートブラケティング撮影モードの高感度側ないし低感度側への感度変更を、前記アナログゲイン調整手段と前記露出レベル調整手段を組み合わせて行う制御手段を有することにより、アナログゲイン調整と露出レベル調整手段（デジタルゲイン調整）を最適な割合で適用し、ＩＳＯブラケティング撮影した各画像についてそれぞれ最適な画質を得るようにするものである。
【００１０】
また、請求項２記載のカメラは、請求項１記載のカメラにおいて、前記基準となるISO値の値および感度の変更量および感度の増減の方向に応じて、前記アナログゲイン調整手段の適用量と前記露出レベル調整手段の適用量を変更する制御手段を有することにより、撮影条件に応じて、アナログゲイン調整と露出レベル調整手段（デジタルゲイン調整）を最適な割合で適用し、ＩＳＯブラケティング撮影した各画像についてそれぞれ最適な画質を得るようにするものである。
【００１１】
また、請求項３記載のカメラは、請求項１乃至請求項２記載のカメラにおいて、前記オートブラケティング撮影モード時に、前記基準となるISO値より所定のブラケティング量高感度側へISO値を変更する際に、前記ブラケティング量が第１の所定値以下の場合、前記アナログゲイン調整手段を適用することによりISO値を変更し、前記ブラケティング量が前記第１の所定値より大きい場合、前記第１の所定値分の感度変更を前記アナログゲイン調整手段を適用することにより行い、前記第１の所定値を超える分の感度変更を前記露出レベル調整手段を適用することにより行う制御手段を有し、前記基準となるISO値の値により、前記第１の所定値を変更する制御手段を有することにより、高感度側にISO値を補正する場合、標準のISO値に応じて、アナログゲイン調整と露出レベル調整手段（デジタルゲイン調整）を最適な割合で適用し、最適な画質を得るようにするものである。
【００１２】
また、請求項４記載のカメラは、請求項３記載のカメラにおいて、設定されているISO値が高感度になるに従い、前記前記第１の所定値を漸次小さくする制御手段を備えることにより、高感度側にISO値を補正する場合、標準のISO値が高いほどアナログゲイン調整の適用の上限値を小さくし、アナログゲイン調整によるノイズの増加を抑え、最適な画質を得るようにするものである。
【００１３】
また、請求項５記載のカメラは、請求項１乃至請求項４記載のカメラにおいて、前記オートブラケティング撮影モード時に、前記基準となるISO値から高感度側へ変更したISO値は、前記基準となるISO値の上限値より高感度に設定可能な制御手段を有することにより、より高い標準ISO値に対しても、高感度側へのISO値のブラケティング補正を可能とするものである。
【００１４】
また、請求項６記載のカメラは、請求項１乃至請求項５記載のカメラにおいて、前記オートブラケティング撮影モード時に、前記基準となるISO値から低感度側へ変更したISO値は、前記基準となるISO値の下限値より低感度に設定可能な制御手段を有することにより、より低い標準ISO値に対しても、低感度側へのISO値のブラケティング補正を可能とするものである。
【００１５】
また、請求項７記載のカメラは、請求項１乃至請求項６記載のカメラにおいて、前記オートブラケティング撮影モード時に、設定されているISO値を基準として、低感度側へISO値を変更する際に、前記低感度側のISO値が前記基準となるISO値の下限値以上の場合、前記アナログゲイン調整手段を適用することによりISO値を変更し、前記低感度側のISO値が前記基準となるISO値の下限値より小さい場合、前記設定されているISO値と前記基準となるISO値の下限値の差分に相当する感度変更を前記アナログゲイン調整手段を適用することにより行い、前記前記基準となるISO値の下限値と前記低感度側のISO値の差分に相当する感度変更を前記露出レベル調整手段を適用することにより行う制御手段を有することにより、より低い標準ISO値に対しても、低感度側へのISO値のブラケティング補正を可能とするものである。
【００１６】
請求項８記載のカメラは、撮像素子の感度を変更しながら複数回の撮影を行うブラケット撮影モードの設定が可能なカメラであって、前記撮像素子のアナログ出力信号に対してゲイン調整を行うアナログゲイン調整手段と、該アナログ調整手段の出力をデジタル信号に変換して生成された画像データに対して露出補正を行う露出レベル調整手段と、前記アナログ調整手段および前記露出レベル調整手段の駆動を制御することによって、前記撮像素子の感度を変更する制御手段とを有することを特徴とする。
【発明の効果】
【００１７】
請求項１記載のカメラは、撮像素子のアナログ出力信号に対しゲイン調整を行うアナログゲイン調整手段と、前記ゲイン調整されたアナログ信号をＡ／Ｄ変換したデジタル信号より生成した画像データに対し、補正処理を行うことにより画像の露出レベルを補正する露出レベル調整手段を有し、基準となるISO値での撮影および、前記基準となるISO値から高感度側へ変更したISO値での撮影、および前記基準となるISO値から低感度側へ変更したISO値での撮影を行わせるオートブラケティング撮影モードを備えた電子カメラにおいて、前記オートブラケティング撮影モードの高感度側ないし低感度側への感度変更を、前記アナログゲイン調整手段と前記露出レベル調整手段を組み合わせて行う制御手段を有することにより、アナログゲイン調整と露出レベル調整手段（デジタルゲイン調整）を最適な割合で適用し、ＩＳＯブラケティング撮影した各画像についてそれぞれ最適な画質を得るようにする効果がある。
【００１８】
また、請求項２記載のカメラは、請求項１記載のカメラにおいて、前記基準となるISO値の値および感度の変更量および感度の増減の方向に応じて、前記アナログゲイン調整手段の適用量と前記露出レベル調整手段の適用量を変更する制御手段を有することにより、撮影条件に応じて、アナログゲイン調整と露出レベル調整手段（デジタルゲイン調整）を最適な割合で適用し、ＩＳＯブラケティング撮影した各画像についてそれぞれ最適な画質を得るようにする効果がある。
【００１９】
また、請求項３記載のカメラは、請求項１乃至請求項２記載のカメラにおいて、前記オートブラケティング撮影モード時に、前記基準となるISO値より所定のブラケティング量高感度側へISO値を変更する際に、前記ブラケティング量が第１の所定値以下の場合、前記アナログゲイン調整手段を適用することによりISO値を変更し、前記ブラケティング量が前記第１の所定値より大きい場合、前記第１の所定値分の感度変更を前記アナログゲイン調整手段を適用することにより行い、前記第１の所定値を超える分の感度変更を前記露出レベル調整手段を適用することにより行う制御手段を有し、前記基準となるISO値の値により、前記第１の所定値を変更する制御手段を有することにより、高感度側にISO値を補正する場合、標準のISO値に応じて、アナログゲイン調整と露出レベル調整手段（デジタルゲイン調整）を最適な割合で適用し、最適な画質を得るようにする効果がある。
【００２０】
また、請求項４記載のカメラは、請求項３記載のカメラにおいて、設定されているISO値が高感度になるに従い、前記前記第１の所定値を漸次小さくする制御手段を備えることにより、高感度側にISO値を補正する場合、標準のISO値が高いほどアナログゲイン調整の適用の上限値を小さくし、アナログゲイン調整によるノイズの増加を抑え、最適な画質を得るようにする効果がある。
【００２１】
また、請求項５記載のカメラは、請求項１乃至請求項４記載のカメラにおいて、前記オートブラケティング撮影モード時に、前記基準となるISO値から高感度側へ変更したISO値は、前記基準となるISO値の上限値より高感度に設定可能な制御手段を有することにより、より高い標準ISO値に対しても、高感度側へのISO値のブラケティング補正を可能とする効果がある。
【００２２】
また、請求項６記載のカメラは、請求項１乃至請求項５記載のカメラにおいて、前記オートブラケティング撮影モード時に、前記基準となるISO値から低感度側へ変更したISO値は、前記基準となるISO値の下限値より低感度に設定可能な制御手段を有することにより、より低い標準ISO値に対しても、低感度側へのISO値のブラケティング補正を可能とする効果がある。
【００２３】
また、請求項７記載のカメラは、請求項１乃至請求項６記載のカメラにおいて、前記オートブラケティング撮影モード時に、設定されているISO値を基準として、低感度側へISO値を変更する際に、前記低感度側のISO値が前記基準となるISO値の下限値以上の場合、前記アナログゲイン調整手段を適用することによりISO値を変更し、前記低感度側のISO値が前記基準となるISO値の下限値より小さい場合、前記設定されているISO値と前記基準となるISO値の下限値の差分に相当する感度変更を前記アナログゲイン調整手段を適用することにより行い、前記前記基準となるISO値の下限値と前記低感度側のISO値の差分に相当する感度変更を前記露出レベル調整手段を適用することにより行う制御手段を有することにより、より低い標準ISO値に対しても、低感度側へのISO値のブラケティング補正を可能とする効果がある。
【発明を実施するための最良の形態】
【００２４】
以下、本発明の実施例について説明する。
【実施例１】
【００２５】
以下、本発明の実施例１である一眼レフタイプデジタルカメラについて詳しく説明する。なお、本実施例では、記録手段として着脱可能な記録媒体を用いているが、本発明はこれに限らず、記録装置を内蔵する形で同様に実施することができる。
【００２６】
図1および図2には、本発明の実施例である“一眼レフタイプデジタルカメラ”を示している。  図1は、本発明の実施例による一眼レフタイプのデジタルカメラの構成を示す上面図、図2は同デジタルカメラの構成を示す背面図である。
【００２７】
各図において、100はカメラ本体、111はファインダー観察用の接眼窓である。図1及び図2において、112はＡＥ（自動露出）ロックボタン、113はＡＦ（オートフォーカス）の測距点選択ボタンである。
【００２８】
114は撮影操作をするためのレリーズボタンであり、第１ストロークでＳＷ１がＯＮし、第２ストロークでＳＷ２がＯＮする構成となっている。
【００２９】
115は第１の操作手段であるメイン電子ダイヤルで、例えば９０°位相のずれた２ビットの信号をマイクロコンピュータ1に送ることにより、回転方向と回転クリック数が検出される。
【００３０】
この回転方向と回転クリック数を検出することで、他の操作釦と併用して、カメラに数値を入力したり、撮影モードを切り換えたりすることが可能となる。
尚、この情報設定方法は、特開昭５８−６３９２２号や特開昭６０−１０３３３１号において公知であるので、詳しい説明は省略する。
【００３１】
図1及び図2において、117は撮影モード選択ボタン、118はＡＦモード選択ボタン、119は測光モード選択ボタンで、調光補正ボタンも兼ねている。
【００３２】
例えば、撮影モード選択ボタン117を押しながらメイン電子ダイヤル115を回転させると、ＴＶ優先→ＡＶ優先→マニアル→プログラム→ＴＶ優先→ＡＶ優先→マニアル→プログラム…と変更され、撮影者の意図するモードに設定することができる。
また、メイン電子ダイヤル115を逆回転させた時は、プログラム→マニアル→ＡＶ優先→ＴＶ優先→プログラム→…とモードは変更される。
【００３３】
また、撮影モード選択ボタン117とメイン電子ダイヤル115によりＴＶ優先がモードとして設定されている場合には、メイン電子ダイヤル115を回転させることにより撮影者の希望するＴＶ値を設定することができる。
【００３４】
また、撮影モード選択ボタン117とメイン電子ダイヤル115によりＡＶ優先がモードとして設定されている場合には、メイン電子ダイヤル115を回転させることにより撮影者の希望とするＡＶ値を設定することができる。
【００３５】
また、ＡＦモード選択ボタン118と測光モード選択ボタン119を同時に押すことで、ＩＳＯ値の設定やＩＳＯブラケティングの設定ができるＩＳＯブラケティング設定モード（請求項の  オートブラケティング設定モードに相当する）が選択される。尚、ＩＳＯブラケティング設定モードに関しては、後に詳述する。
【００３６】
図2において、140は撮影された画像を表示する表示手段としてのＬＣＤモニター装置（液晶表示器）である。121はＬＣＤモニター装置140をオン／オフするためのモニタースイッチである。ＬＣＤモニター装置140の裏面には不図示のバックライト照明装置が配置されている。
【００３７】
図1及び図2において、116はメイン電子ダイヤル115と同様の機能を備えた、第２の操作手段であるサブ電子ダイヤルである。撮影モード選択ボタン117とメイン電子ダイヤル115によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００３８】
図2において、122はこのサブ電子ダイヤル116による入力機能をロックするダイヤルロックスイッチ、123は本デジタルカメラの全ての動作を禁止するメインスイッチである。
【００３９】
124はＬＣＤモニター装置120に画像を表示する際や、カメラの初期設定の際にモードを選択するためのメニューボタンで、各モードを選択する時は、このメニューボタン124を押しながらサブ電子ダイヤル116を回転して希望のモードを選択する。希望のモードが選択された時、メニューボタン124を離すと選択が完了する。
【００４０】
140は撮影条件等を表示する外部表示機能を備えた液晶表示装置よりなる外部液晶表示装置である。
【００４１】
撮影レンズ200は、カメラ本体100に対して、不図示の本体マウントを介して交換可能である。
【００４２】
図3は、外部液晶表示装置140の詳細図であり、カメラの通常撮影時の表示状態を示している。
【００４３】
140aは露出モードを示すセグメントであり、図3においてはプログラム撮影モードが選択されている状態を示している。140bはシャッター秒時表示用セグメントと、絞り値表示用セグメントであり、図3においては、シャッター秒時：１／２５０、絞り値：５．６を示している。140cは、撮影可能枚数用カウンターであり、図3においては、残り１５３枚の撮影が可能であることを示している。140dは露出補正量を示すセグメントであり、図3は露出補正が行われていない（補正０）状態を示している。
【００４４】
図4は、本発明の実施例である“一眼レフタイプデジタルカメラ”の構成を示すブロック図である。図4において、1はカメラ本体に内蔵された制御手段であるところのマイクロコンピュータの中央処理装置（以下、ＭＰＵと記す）である。
【００４５】
ＭＰＵ1には、ＡＦ駆動回路12，絞り駆動回路13，ミラー駆動回路14，焦点検出回路16，シャッター駆動回路17，映像信号処理回路11，スイッチセンス回路21，測光回路23、液晶表示駆動回路24が接続されている。ＭＰＵ1は各要素，上記回路を予め定めた順序でシーケンシャルに制御する。
【００４６】
200はカメラ本体に着脱可能な撮影レンズ、12はＡＦ（オートフォーカス）駆動回路で、ＭＰＵ1の制御によって撮影レンズ200内のフォーカスレンズ位置を変化させることによりＣＣＤ7にピントを合わせる。
【００４７】
13は絞り駆動回路で、ＭＰＵ1の制御によって絞り2を変化させて光学的な絞り値を変化させる。
【００４８】
4はメインミラーで撮影レンズ200により結像される被写体像を、ペンタプリズム3へ導くと共に、その一部を透過させ、後述するサブミラー5を通して焦点検出用センサー15へ導くためのメインミラーである。メインミラー4はミラー駆動回路14により、ファインダーにて被写体像を観察可能な位置と撮影時に被写体光束の光路から待避する退避位置とを可動自在に構成されている。
【００４９】
5はメインミラー4の一部を透過した被写体光を反射させて、焦点検出用センサー15へ被写体像を導くためのサブミラーである。サブミラー5は、前記メインミラー4、又は、前記メインミラー4のミラー駆動回路14と連動し、前記メインミラー4がファインダーにて被写体像を観察可能な位置にあるときには、焦点検出用センサー15へ被写体光を導く位置に、また、撮影時には被写体光束の光路から待避する退避位置に可動自在に構成されている。
【００５０】
14はミラー駆動回路で、例えばＤＣモータとギヤトレインなどから構成され、ＭＰＵ1の制御によってメインミラー4やサブミラー5を駆動させる。
【００５１】
3はペンタダハプリズムでメインミラー4によって導かれた被写体像を正立正像に変換反射する光学部材である。
【００５２】
カメラ本体に着脱可能な撮影レンズ200を通過した被写体光束は、絞り2を通過して、メインミラー4で反射されペンタプリズム3に導かれ接眼窓111で被写体像を観察する。
【００５３】
撮影レンズ200を通過した被写体光束は、さらには測光センサー22へも導かれる。また、メインミラー4を透過した光束はサブミラー5で反射され、焦点検出用センサー15の検出面上で再結像される。その光像は、電気的なイメージ信号に変換されて焦点検出回路16に供給される。
【００５４】
焦点検出回路16はＭＰＵ1の信号に従い、焦点検出用センサー15の蓄積制御と読み出し制御を行って、画素情報をＭＰＵ1へ出力する。
【００５５】
ＭＰＵ1は焦点検出回路16からの被写体像のイメージ信号に基づいて、周知の位相差検出法による焦点検出演算を行い、撮影レンズ200による結像面とフィルム面等の予定結像面との差、すなわちデフォーカス量およびデフォーカス方向を求める。
【００５６】
そして、ＭＰＵ1は算出したデフォーカス量およびデフォーカス方向に基づいて、ＡＦ駆動回路12を介して撮影レンズ200のフォーカスレンズ位置を変化させ合焦位置まで駆動する。
【００５７】
6は機械シャッター装置で、ファインダー観察時には被写体光束を遮り、撮像時にはレリーズ信号に応じて被写体光束の光路から待避して露光を開始させる不図示の先羽根群と、ファインダー観察時には被写体光束の光路から待避しているとともに、撮像時には先羽根群の走行開始後所定のタイミングで被写体光束を遮光する不図示の後羽根群とを有するフォーカルプレーンシャッターである。機械シャッター装置6はＭＰＵ1の指令を受けたシャッター駆動回路17によって制御される。
【００５８】
本実施例においては、先羽根群と後羽根群の両方とを有している場合について説明しているが、遮蔽部材を一つだけとして露光を開始する時は被写体光束の光路から退避し、撮影が終了後再び被写体光束の光路を遮蔽する位置まで戻るような構成としても構わない。
【００５９】
7は撮影レンズ200により結像された被写体像を撮像して電気信号に変換する固体撮像素子である。固体撮像素子は、公知の２次元型撮像デバイスであるＣＣＤが用いられている。撮像デバイスには、ＣＣＤ型、ＭＯＳ型、ＣＩＤ型など様々な形態があり、何れの形態の撮像デバイスを採用しても良いが、本実施例においては、光電変換素子（フォトセンサ）が２次元的に配列され、各センサーで蓄積された信号電荷が垂直転送路、及び、水平転送路を介して出力されるインターライン型ＣＣＤ撮像素子が採用されている。
【００６０】
8はクランプ／ＣＤＳ（相関二重サンプリング）回路で、画像信号のノイズの低減などの基本的なアナログ処理を行う。
【００６１】
9はＡＧＣ（自動利得調整装置）で、Ａ／Ｄ変換する前のアナログ信号のゲインを調整することにより画像信号のレベル調整を行う
後述するＩＳＯの値の変更処理は、制御手段であるＭＰＵ1の指令により、ＡＧＣ9でアナログ信号に対しゲイン調整を行うこと（請求項のアナログゲイン調整手段に対応、以下アナログゲイン調整と記す）によりおこなう。
【００６２】
10はＡ／Ｄ変換であり、アナログの各画素信号をデジタル信号に変換する。
【００６３】
11は映像信号処理回路で、内部に画像データ処理部11a、画像表示処理部11b、画像圧縮処理部11c等を有し、ハードウエアによる画像処理全般を担当する。
【００６４】
画像データ処理部11aはデジタル化されたＣＣＤ7の画像データに、レベル補正、ホワイトバランスの調整、ガンマー調整処理、その他フィルター処理等を行う。
【００６５】
この画像データ処理部11aにおいて、制御手段であるＭＰＵ1の指令により、Ａ／Ｄ変換後の画像データに対し、レベル補正、ガンマー調整処理を行うことにより画像の露出レベルの調整を行うこと（請求項の露出レベル調整手段に対応、以下デジタルゲイン調整と記す）が可能である。
【００６６】
画像表示処理部11bはモニター表示用の情報合成処理などを行う。画像圧縮処理部11cは画像データに対しＪＰＥＧなどの圧縮処理を行う。
【００６７】
この映像信号処理回路11からのモニター表示用の画像データは、ＬＣＤ駆動回路25を介してＬＣＤモニター120に表示される。これらの機能の切り換えは、ＭＰＵ1とのデータ交換により行わる。
【００６８】
また、連写の場合は、一旦、バッファメモリ27に画像データを格納し、処理時間がかかる場合にメモリコントローラ26を通して未処理の画像データを読み出し、映像信号処理回路11で画像処理や圧縮処理を行い、連写スピードを稼ぐ構成となっている。
【００６９】
メモリコントローラ26では、映像信号処理回路11から入力された未処理のデジタル画像データをバッファメモリ27に格納し、処理済みのデジタル画像を記録媒体28に格納したり、逆にバッファメモリ27や記録媒体28から画像データを映像信号処理回路11に出力したりする。
【００７０】
また、メモリコントローラ26は、外部インターフェース29から送られてくる映像をメモリ28に記憶することや、記録媒体28に記憶されている画像を外部インターフェース29から出力可能である。なお、記録媒体28は、カメラ本体に対して取り外しが可能である。
【００７１】
114aはレリーズボタン114の第１ストロークによりオンするスイッチＳＷ１である。114bは、レリーズボタン114の第２ストロークによりオンするスイッチＳＷ２である。スイッチＳＷ２がオンされるとレリーズ操作が開始される。
【００７２】
21はスイッチセンス回路で、ＳＷ１（114a）、ＳＷ２（114b）、メイン電子ダイヤルＳＷ115、サブ電子ダイヤルSW116、撮影モード選択ＳＷ117、ＡＦモード選択ＳＷ118、測光モード選択ＳＷ119が接続されていて、各スイッチの操作状態を検出してＭＰＵ1に送信する。
【００７３】
23は測光回路で、測光センサー22からの出力を画面内の各エリアの輝度信号として、ＭＰＵ1に出力する。ＭＰＵ1は輝度信号をＡ／Ｄ変換し、撮影の露出を算出する。
【００７４】
24は液晶表示駆動回路で、ＭＰＵ1の表示内容命令に従って、外部液晶表示装置140やファインダー内液晶表示装置30を駆動する。また、液晶表示駆動回路24は、ＭＰＵ1の指示により特定のセグメントを点滅表示状態にすることが可能である。31は電源部で、各ＩＣ（集積回路）や駆動系に必要な電源を供給する。
【００７５】
次に、ＩＳＯブラケティング撮影の設定方法について説明する。
【００７６】
ＩＳＯブラケティング撮影とは、露光時間は変えずに（シャッタースピードや、絞り値を変化させずに）ＩＳＯの値を段階的に変更して撮影を行うものである。
【００７７】
図5のステップS１００において、ＡＦモードＳＷ118と測光モード選択ＳＷ119の両方が、ＯＮしたか否かを判別する。ＯＮされたと判別されたならば、ステップS１０１へ移行し、ＩＳＯブラケティング設定モードになる。ステップS１０２では、メイン電子ダイヤル115の入力を判別する。メイン電子ダイヤル115の入力が確認されると、ステップS１０３に進む。メイン電子ダイヤル115の入力が確認されなければS１０４へ進む。
【００７８】
S１０３ではメイン電子ダイヤル115の入力に応じてＩＳＯの値を変更する。
なお、本実施例ではＩＳＯの値はISO１００からISO１６００の間で１／３段ステップで設定可能である。
【００７９】
この時の図7におけるＩＳＯの値の表示140cは、初期値の値がＩＳＯ２００ならば、メイン電子ダイヤル115が１クリック回転される毎に、２００→２５０→３２０→４００・・・→１６００まで１／３段づつ増加していく。また、逆回転方向に操作されると、１６００→１２５０→１０００→８００・・・→１００と１／３づつ減少していく。ＩＳＯの値を変更処理が終了すると、S１０４に進む。
【００８０】
ステップS１０４にて、設定されているＩＳＯ値を判別し、ＩＳＯ値が２００以下の値であればS１０５に、２００より大きく４００以下の値であればS１０６に、４００より大きい値であればS１０７にそれぞれ進む。
【００８１】
ステップS１０５にて、制御手段であるＭＰＵ1は、ＩＳＯブラケティングにおける設定可能なブラケティング量の上限値（以下、ＩＳＯブラケティング可能量と記す）を±３段に設定しS１０８に進む。
【００８２】
ステップS１０６にて、制御手段であるＭＰＵ1は、ＩＳＯブラケティング可能量を±２段に設定しS１０８に進む。
【００８３】
ステップS１０７にて、制御手段であるＭＰＵ1は、ＩＳＯブラケティング可能量を±１段に設定しS１０８に進む。
【００８４】
ステップS１０８にて、設定されているＩＳＯブラケティング可能量に基づいてＩＳＯブラケティング量の修正処理を行う。具体的には、設定されているＩＳＯブラケティング量がＩＳＯブラケティング可能量より大きい場合は、ＩＳＯブラケティング量をＩＳＯブラケティング可能量と同じ値に変更する。
【００８５】
設定されているＩＳＯブラケティング量がＩＳＯブラケティング可能量以下の場合、またはＩＳＯブラケティング補正が設定されていない場合は何も処理を行わない。ブラケティング量の修正処理が終了するとS１０９へ進む。
【００８６】
ステップS１０９において、制御手段であるマイクロコンピュータ1は、上記S１０２乃至S１０８にて行われた処理に基づいて外部表示液晶装置140の表示内容を変更する。
【００８７】
図6は、ＩＳＯ値の設定時における外部表示液晶装置140の表示例を示す図である。
【００８８】
図6-aはＩＳＯ値変更前の初期状態の外部表示液晶装置140の表示状態であり、ここでは例としてＩＳＯ２００、ＩＳＯブラケティング量４／３（１．３）段が設定されている状態を表している。
【００８９】
図6において、140cは設定されているＩＳＯの値を示している。140dはＩＳＯブラケティング可能量をスケールで、ＩＳＯのブラケティング量をドットでそれぞれ示し、スケールの１目盛が１／３段を表している。140bはブラケティング量を７セグメント表示にて示している。
【００９０】
図6-bは、図6-aの状態からステップS１０３においてＩＳＯの値がＩＳＯ２５０に変更された場合の外部表示液晶装置140の表示状態を示しており、表示部140cはＩＳＯ設定値の「２５０」を表示している。この場合、ステップS１０６において、ＩＳＯブラケティング可能量が±２段に設定されるため、表示部140dのスケール表示は±２段までの表示となる。
図6-cは、図6-aの状態からステップS１０３においてＩＳＯの値がＩＳＯ５００に変更された場合の外部表示液晶装置140の表示状態を示しており、表示部140cはＩＳＯ設定値の「５００」を表示している。この場合、ステップS１０７において、ＩＳＯブラケティング可能量が±１段に設定されるため、表示部140dのスケール表示は±１段までの表示となる。また、S１０８にてＩＳＯブラケティング量が±１段に修正されるため、表示部140dのドット表示および140bの７セグメント表示は補正量±１段を示す表示となる。
【００９１】
図5に戻り、ステップS１１０にてサブ電子ダイヤル116の入力が確認されると、ステップS１１１に進む。サブ電子ダイヤル116の入力が確認されなければステップS１１３に進む。
【００９２】
S１１１にてブラケティングの補正量の設定処理を行う。
【００９３】
図7は、ＩＳＯブラケティング量の設定時における外部表示液晶装置140の表示例を示す図である。
【００９４】
図7-aはＩＳＯブラケティング量の設定前の初期状態の外部表示液晶装置140の表示状態であり、ここでは例としてＩＳＯ値として２００が設定されている状態を表している。
この時のブラケティング量を示す140dの表示は、初期状態である図7-aの状態から、サブ電子ダイヤル116が１クリック回転される毎に、ドットが１ドットづつ変化していく。図7-bは、サブ電子ダイヤル116が初期状態図7-aから１クリック操作されたときのドットの状態を示し、図7-cはサブ電子ダイヤル116が初期状態から、２クリック操作された状態を示している。
【００９５】
また、サブ電子ダイヤル116を逆方向に回転されると、図7-cの状態から図7-b→図7-aの状態へ１ドットづつ逆に変化していく。
【００９６】
ブラケティング量を７セグメントで示す140bの表示もドットの表示に対応して、サブ電子ダイヤル116が１クリック回転される毎に、ブラケティング量が０．０→０．３→０．７→・・・と１／３段づつ変化していく。このブラケティング量の上限値は前述したように設定されているＩＳＯの値により異なるものとなる。また、逆方向へ回転されると、・・・→０．７→０．３→０．０と変化していく。
【００９７】
図5に戻って、ステップS１１１にてＩＳＯブラケティングの補正が行われると、ステップS１１２にて、ＩＳＯブラケティングのフラグを設定し、変数Ｎ＝０をＭＰＵ1内のメモリに記憶して、ステップS１１３へ移行する。このフラグが設定されると後述するＩＳＯブラケティング撮影が行われる。つまりは、ＩＳＯ設定モードにてサブ電子ダイヤル116が操作され、ブラケティング量が設定されると、ＩＳＯブラケティング撮影が行われることになる。
【００９８】
ステップS１１３では、ＡＦモードＳＷ118・測光モード選択ＳＷ119がＯＦＦしたか否かを判別し、ＯＦＦしていない場合には、S１０１へ移行し以上説明した操作を繰り返し、ＯＦＦされたと判別された時には、ステップS１１４へ移行する。
ステップS１１４では、ＩＳＯブラケティングのフラグ（変数Ｎ＝０）が設定されているか否かを判別する。設定されているときはステップS１１５へ移行し、設定されていない時は、ＩＳＯブラケティング設定モードを終了する。
【００９９】
ステップS１１５において、制御手段であるマイクロコンピュータ1は、図3にて説明した外部表示液晶装置140の140cの表示を、ＩＳＯ表示へ変更する。このときの表示は図9-aの表示となる。
【０１００】
ここで、図9を用いてＩＳＯブラケティング撮影中の表示について説明する。
【０１０１】
図9-a，図9-b，図9-cは、それぞれ露出適正、露出アンダー、露出オーバー撮影前の状態を示している。
【０１０２】
図9-aにおいて、140cはＩＳＯブラケティング撮影時のＩＳＯの値を表示している。（通常撮影時は図3にて説明した通り、撮影可能枚数用カウンターである）140dはＩＳＯブラケティング撮影時の露出補正量を表し、図9-aにおいては、露出補正が行われていない（補正０）ことを表している。なお、この140dのドットはＩＳＯブラケティング撮影中点滅を続けている。
【０１０３】
140eは140cの表示がＩＳＯ表示であることを撮影者に報知しているＩＳＯ表示セグメントである。また、ＩＳＯブラケティング撮影中、点滅を続けているので、撮影者はＩＳＯ設定モードではなく、ＩＳＯブラケティング撮影中であることを知ることができる。図9-b、図9-cの表示については後述する。
【０１０４】
次に、図8、図10のフローチャートを用いて、ＩＳＯブラケティングの撮影シーケンスについて説明する。
【０１０５】
なお、図8、図10のフローチャートにおいては、ＩＳＯの値や、アナログゲイン調整量、デジタルゲイン調整量、ＩＳＯブラケティング量を、対応するゲイン値に換算して演算処理を行っている。
【０１０６】
本実施例では、ＩＳＯ１００に対応するアナログゲインのゲイン値が０であり、アナログゲイン値１が露出段数１／３段に対応するように定義されている。つまり、ＩＳＯ１００、１２５、１６０、２００、・・・、１６００に対応するアナログゲインの値は、それぞれ０、１、２、３、・・・、１２となっている。
【０１０７】
また、本実施例では、デジタルゲイン調整の露出段数１／３段がデジタルゲイン値１に対応するように定義されている。つまり、露出−１段のデジタルゲイン調整に対応するデジタルゲイン値は−３に、露出＋１段のデジタルゲイン調整に対応するデジタルゲイン値は３にそれぞれ対応することとなる。
【０１０８】
また、同様にＩＳＯのブラケティング量１／３段がＩＳＯブラケティング補正ゲイン値１に対応するように定義されている。つまり、１段のＩＳＯのブラケティング量はＩＳＯブラケティング補正ゲイン値３に、２段のＩＳＯのブラケティング量はＩＳＯブラケティング補正ゲイン値６に、それぞれ対応することとなる。
【０１０９】
まず、ステップS２０１では、図5のステップS１１２にてＩＳＯブラケティングフラグが設定されているか否かを判別する。ＩＳＯブラケティングが設定されていればS２０２へ移行し、ＩＳＯブラケティングフラグが設定されていない時には、ステップS２０５へ移行する。
【０１１０】
ステップS２０２では、図5のステップS１０８またはステップS１１１にて設定されたＩＳＯブラケティング量に相当するＩＳＯブラケティング補正ゲイン値Ｂｉを取得し、S２０３へ進む。
【０１１１】
ステップS２０３において、ＩＳＯブラケティング撮影における感度設定処理を行い、ステップS２０４へ進む。感度設定処理の詳細については後述する。
【０１１２】
ステップS２０４では、必要に応じ外部表示液晶装置140の表示を切り換える。表示の切り換えついて図9を用いて詳述する。
【０１１３】
図9-aはすでに説明した通り、ＩＳＯブラケティングが設定された直後の状態で、適正露出での撮影前の状態を示している。
【０１１４】
140cは図5のステップS１０２で設定されたＩＳＯの値を表示し、140dは補正０の状態を示している。
【０１１５】
図9-bは、ＩＳＯブラケティング撮影中、露出アンダー側の撮影前の状態を示している。なお、図9-bは−１／３段補正された状態を示している。
【０１１６】
図9-cは、ＩＳＯブラケティング撮影中、露出オーバー側の撮影前の状態を示している。なお、図9-cは＋１／３段補正された状態を示している。
【０１１７】
図9-b、図9-cにおいて、140cは図8のステップS２０３の処理で設定されたＩＳＯ値を示している。
【０１１８】
ステップS２０４で、外部表示液晶装置140の表示を切り換えたら、ステップS２０５へ移行する。
【０１１９】
ステップS２０５にてＳＷ１がＯＮされたか否かを判別し、ＯＮされたと判別されたならば、ステップS２０６へ移行する。ＯＮされたと判別されなかったならば、ステップS２０５の処理を繰り返す。
【０１２０】
ステップS２０６では測光回路23から出力されたデータに基づいて、ＭＰＵ1にて露出値（シャッタースピードや絞り値）を算出するとともに、焦点検出回路16からの被写体像のイメージ信号に基づいて、ＭＰＵ1にて周知の位相差検出法による焦点検出演算を行い、デフォーカス量およびデフォーカス方向を求め、ＡＦ駆動回路12を介して撮影レンズ200のフォーカスレンズ位置を変化させ合焦位置まで駆動する。これらの処理が終了した後S２０７へ移行する。
【０１２１】
ステップS２０７では、ＳＷ２がＯＮされたか否かを判別する。ＯＮされていないと判別された時には、ステップS２０８へ移行する。ＳＷ２がＯＮされたと判別した時にはステップS２０９へ移行する。
【０１２２】
ステップS２０８にてＳＷ１がＯＮされているか否かを判別し、ＯＮされていると判別されたならば、ステップS２０７へ移行する。ＯＮされたと判別されなかったならば、ステップS２０５へ移行する。
【０１２３】
ステップS２０９では一連の撮影処理を行い、撮影処理が終了するとS２１０へ移行する。このステップS２０９の撮影処理については後述する。
【０１２４】
ステップS２１０において映像信号処理回路11にて所定の画像処理を行う。後述するデジタルゲイン調整も本ステップの画像処理において行う。画像処理を行った後に、ステップS２１１へ移行する。
【０１２５】
ステップS２１１において、メモリコントローラ26は画像データを記録媒体28へ記録して、ステップS２１２へ移行する。
【０１２６】
ステップS２１２において、ＭＰＵ1は、ＭＰＵ1内の内部メモリに記憶されたＩＳＯブラケティングフラグの状態を調べ、ＩＳＯブラケティングフラグが設定されていたならばステップS２１３へ進み、ＩＳＯブラケティングフラグが解除されていたならば一連の撮影が終了する。
【０１２７】
ステップS２１３では、変数Ｎに対し
Ｎ＝Ｎ＋１
の演算処理を行い、ステップS２１４に進む。
【０１２８】
ステップS２１４でＭＰＵ1は、変数ＮがＮ＝３に到達したかどうかを判断し、Ｎ＝３に到達していると判断されたならば、ステップS２１５にてＩＳＯブラケティングフラグを解除して、撮影を終了する。
【０１２９】
ステップS２１４で変数ＮがＮ＝３に到達していないと判断されたならば、ステップS２０３へ戻り、次のＩＳＯブラケティング撮影処理を行う。
【０１３０】
図10は図8のステップS２０３におけるＩＳＯブラケティング時の感度設定動作の詳細を示すフローチャート図である。
【０１３１】
まず、図8のステップS２０３において本サブルーチンが呼び出されると、ステップS３０１において、ＭＰＵ1は、変数Ｎの値を調べ、N=0であればS３０２へ移行し、以後の処理でＩＳＯブラケティング時の標準ISO値の取得処理をする。N=１であればS３０３へ移行し、以後の処理でＩＳＯブラケティング時のアンダー側のISO値の設定処理をする。N=２であればS３０５へ移行し、以後の処理でＩＳＯブラケティング時のオーバー側のISO値の設定処理をする。
【０１３２】
ステップS３０２では、ＩＳＯに対応するアナログゲインのゲイン値Gaを取得し、ＭＰＵ1内の内部メモリに記憶する。ステップS３０２の処理が終了すると本サブルーチンを終了する。
【０１３３】
ステップS３０３では、制御手段であるＭＰＵ1は、アナログゲインを
MAX（０，Ｇａ−Ｂｉ）
に設定し、ステップS３０４に移行する。
【０１３４】
ステップS３０４では、制御手段であるＭＰＵ1は、デジタルゲインを
ＭＡＸ（−３，ＭＩＮ（０，Ｇａ−Ｂｉ））
に設定し、本サブルーチンを終了する。
【０１３５】
上記ステップS３０３、ステップS３０４の処理によれば、Ｎ＝１、すなわちＩＳＯブラケティング時のアンダー側のISO値の設定処理時にＧａ＝０（標準ＩＳＯ１００）、Ｂｉ＝９（ＩＳＯブラケティング量３段）の場合、アナログゲインが０、デジタルゲインがー３に設定され、アンダー側のISO値が５０相当に設定される。この場合、アナログゲインでの補正量は０段、デジタルゲインでの補正量はー１段となっている。
【０１３６】
また、Ｇａ＝０（標準ＩＳＯ１００）、Ｂｉ＝３（ＩＳＯブラケティング量１段）の場合、アナログゲインが０、デジタルゲインがー３に設定され、アンダー側のISO値が５０相当に設定される。この場合、アナログゲインでの補正量は０段、デジタルゲインでの補正量はー１段となっている。
【０１３７】
上記２例のように、標準のＩＳＯ設定では不可能なＩＳＯ１００以下の低ＩＳＯ側の設定を、デジタルゲイン補正を使用することにより可能な構成としている。
【０１３８】
また、Ｇａ＝６（標準ＩＳＯ４００）、Ｂｉ＝６（ＩＳＯブラケティング量２段）の場合、アナログゲインが０、デジタルゲインが０に設定され、アンダー側のISO値が１００相当に設定される。この場合、アナログゲインでの補正量は−２段、デジタルゲインでの補正量は０段となっている。
【０１３９】
また、Ｇａ＝１０（標準ＩＳＯ１０００）、Ｂｉ＝３（ＩＳＯブラケティング量１段）の場合、アナログゲインが７、デジタルゲインが０に設定され、アンダー側のISO値が５００相当に設定される。この場合、アナログゲインでの補正量は−１段、デジタルゲインでの補正量は０段となっている。
【０１４０】
ステップS３０５では、ＭＰＵ1内の内部メモリに記憶されているＧａの値を取得し、Ｇａ≦３（つまり、標準ＩＳＯ２００以下）であれば、ステップS３０６へ移行する。３＜Ｇａ≦９（つまり、標準ＩＳＯが２００より大きく８００以下）であれば、ステップS３０８へ移行する。９＜Ｇａ（つまり、標準ＩＳＯが８００より大きい）場合はステップS３１０へ移行する。
【０１４１】
ステップS３０６では、制御手段であるＭＰＵ1は、アナログゲインを
ＭＩＮ（１２，ＭＩＮ（６，Ｂｉ）＋Ｇａ）
に設定し、ステップS３０７に移行する。
【０１４２】
ステップS３０７では、制御手段であるＭＰＵ1は、デジタルゲインを
ＭＡＸ（０，Ｂｉ−６）
に設定し、本サブルーチンを終了する。
【０１４３】
ステップS３０８では、制御手段であるＭＰＵ1は、アナログゲインを
ＭＩＮ（１２，ＭＩＮ（３，Ｂｉ）＋Ｇａ）
に設定し、ステップS３０９に移行する。
【０１４４】
ステップS３０９では、制御手段であるＭＰＵ1は、デジタルゲインを
ＭＡＸ（０，Ｂｉ−３）
に設定し、本サブルーチンを終了する。
【０１４５】
ステップS３１０では、制御手段であるＭＰＵ1は、アナログゲインを
Ｇａ
に設定し、ステップS３１１に移行する。
【０１４６】
ステップS３１１では、制御手段であるＭＰＵ1は、デジタルゲインを
Ｂｉ
に設定し、本サブルーチンを終了する。
【０１４７】
上記ステップS３０５乃至ステップS３１１の処理によれば、Ｎ＝２、すなわちＩＳＯブラケティング時のオーバー側のISO値の設定処理時にＧａ＝０（標準ＩＳＯ１００）、Ｂｉ＝９（ＩＳＯブラケティング量３段）の場合、アナログゲインが６、デジタルゲインが３に設定され、オーバー側のISO値が８００相当に設定される。この場合、アナログゲインでの補正量は＋２段、デジタルゲインでの補正量は＋１段となっている。
【０１４８】
上記のように、オーバー側のISO値の設定処理において、標準ＩＳＯ値が２００以下の場合、ＩＳＯブラケティング量が２段よりも大きい値の時には、大幅なアナログゲイン調整の適用によるノイズの増加を防ぐため、デジタルゲイン調整を併用する構成となっている。
【０１４９】
また、Ｇａ＝０（標準ＩＳＯ１００）、Ｂｉ＝３（ＩＳＯブラケティング量１段）の場合、アナログゲインが３、デジタルゲインが０に設定され、オーバー側のISO値が２００相当に設定される。この場合、アナログゲインでの補正量は＋１段、デジタルゲインでの補正量は＋０段となっている。
【０１５０】
また、Ｇａ＝６（標準ＩＳＯ４００）、Ｂｉ＝６（ＩＳＯブラケティング量２段）の場合、アナログゲインが９、デジタルゲインが３に設定され、オーバー側のISO値が１６００相当に設定される。この場合、アナログゲインでの補正量は＋１段、デジタルゲインでの補正量は＋１段となっている。
【０１５１】
上記のように、オーバー側のISO値の設定処理において、標準ＩＳＯ値が２００より大きく８００以下の場合、ＩＳＯブラケティング量が１段よりも大きい値の時には、大幅なアナログゲイン調整の適用によるノイズの増加を防ぐため、デジタルゲイン調整を併用する構成となっている。
【０１５２】
また、Ｇａ＝１０（標準ＩＳＯ１０００）、Ｂｉ＝３（ＩＳＯブラケティング量１段）の場合、アナログゲインが１０、デジタルゲインが３に設定され、オーバー側のISO値が２０００相当に設定される。この場合、アナログゲインでの補正量は０段、デジタルゲインでの補正量は＋１段となっている。
【０１５３】
上記のように、オーバー側のISO値の設定処理において、標準ＩＳＯ値が８００より大きい場合、アナログゲイン調整の適用によるノイズの増加を防ぐため、デジタルゲイン調整を使用する構成となっている。
【０１５４】
また、以上説明した本実施例によれば、ＩＳＯブラケティング時のアンダー側のISO値の下限値はISO５０、ＩＳＯブラケティング時のオーバー側のISO値の上限値はISO３２００となり、標準ＩＳＯ値の設定可能範囲であるISO１００からISO１６００よりも広くなる構成となっている。
【０１５５】
図11は、図8のステップS２０９における撮影処理の詳細なフローチャートを示す。
【０１５６】
ステップS４０１でミラー駆動回路14は、ＭＰＵ1の命令により、メインミラー4・サブミラー5をミラーアップ位置に移動する。
【０１５７】
ステップS４０２において、ＭＰＵ1は図8のステップS２０６にて算出された絞り値に、絞り駆動回路13によって絞り2を駆動する。
【０１５８】
ステップS４０３において、ＭＰＵ1は、ＣＣＤ7の電荷クリア動作を行った後に、ステップS４０４にてＣＣＤ7の電荷蓄積を開始してステップS４０５へ移行する。
【０１５９】
ステップS４０５において、シャッター駆動回路17によって、機械シャッター装置6内の先羽根群を駆動させ（シャッターが開く）、ＣＣＤ7の露光を開始する（ステップS４０６）。
【０１６０】
ステップS４０７においてＭＰＵ1は、図8のステップS２０６にて算出されたＣＣＤ7の露光時間が終了したか否かを判別し、終了したと判別された時には、ステップS４０８へ移行する。
【０１６１】
ステップS４０８において、シャッター駆動回路17はＭＰＵ1の指示に従い、機械シャッター装置6内の後羽根群を駆動して、シャッターを閉じ、ＣＣＤ7の露光を終了する。
【０１６２】
ステップS４０９において、絞り駆動回路13は絞り2を開放の絞り値まで駆動すると共に、ステップS４１０にて、メインミラー4とサブミラー5をミラー駆動回路14によってミラーダウン位置に移動する。
【０１６３】
ステップS４１１では、設定した電荷蓄積時間が経過したか否かを判別し、経過したと判別されたならばステップS４１２へ移行する。
【０１６４】
ステップS４１２において、ＭＰＵ1は、ＣＣＤ7の電荷蓄積を終了し、その後、ステップS４０３にて、ＣＣＤ7から電荷信号を読み出す。
【０１６５】
一連の処理を終えたならば、撮影処理ルーチンを終了する。
【０１６６】
以上説明した実施例によれば、基準ISO値、ISOブラケティング量の設定、補正方向に応じてアナログゲイン調整とデジタルゲイン調整を最適な割合で適用することができるため、ISOブラケティング撮影した各画像についてそれぞれ最適な画質を実現することが可能となる構成となっている。
【０１６７】
また、ISOブラケティング時のアンダー側、オーバー側のISO値が、標準ISO値の設定可能範囲よりも広く設定でき、より広い範囲の標準ISO値に対してオーバー、アンダー両方のブラケティング補正が可能な構成となっている。
【図面の簡単な説明】
【０１６８】
【図１】本発明のデジタル一眼レフカメラの上面図
【図２】本発明のデジタル一眼レフカメラの背面図
【図３】本発明のデジタル一眼レフカメラの外部液晶表示装置の表示例を示す図
【図４】本発明のデジタル一眼レフカメラの電気回路を示すブロック図
【図５】本発明のデジタル一眼レフカメラのＩＳＯブラケティング設定動作を示すフローチャート図
【図６】本発明のデジタル一眼レフカメラのＩＳＯ設定時における外部液晶表示装置の表示例を示す図（ａ、ｂ、ｃ）
【図７】本発明のデジタル一眼レフカメラのＩＳＯブラケティング設定時における外部液晶表示装置の表示例を示す図（ａ、ｂ、ｃ）
【図８】本発明のデジタル一眼レフカメラの動作を示すフローチャート図
【図９】本発明のデジタル一眼レフカメラのＩＳＯブラケティング撮影中における外部液晶表示装置の表示例を示す図（ａ、ｂ、ｃ）
【図１０】本発明のデジタル一眼レフカメラのＩＳＯブラケティング時の設定動作を示すフローチャート図
【図１１】本発明のデジタル一眼レフカメラの撮影動作を示すフローチャート図
【符号の説明】
【０１６９】
1：マイクロコンピュータ
2：絞り
3：ペンタダハプリズム
4：メインミラー
5：サブミラー
6：機械シャッター装置
7：ＣＣＤ
8：クランプ／ＣＤＳ回路
9：ＡＧＣ
10：Ａ／Ｄ変換機
11：映像信号処理回路
11a：画像データ処理部
11b：画像表示処理部
11c：画像圧縮処理部
12：ＡＦ駆動回路
13：絞り駆動回路
14：ミラー駆動回路
15：焦点検出センサー
16：焦点検出回路
17：シャッター駆動回路
21：スイッチセンス回路
22：測光センサー
23：測光回路
24：液晶表示駆動回路
25：ＬＣＤ駆動回路
26：メモリコントローラ
27：バッファメモリ
28：記録媒体
29：インターフェース
30：ファインダー内液晶表示装置
31：電源部
100：カメラ本体
111：接眼窓
112：ＡＥロックボタン
113：測距点選択ボタン
114：レリーズボタン
114a：SW1
114b：SW2
115：メイン電子ダイヤル
116：サブ電子ダイヤル
117：撮影モード選択ボタン
118：ＡＦモード選択ボタン
119：測光モード選択ボタン
120：ＬＣＤモニター
121：モニタースイッチ
122：ダイヤルロックスイッチ
123：メインスイッチ
124：メニューボタン
140：外部表示液晶装置
140a：露出モードを示すセグメント
140b：シャッター秒時表示用セグメント
140c：撮影可能枚数用カウンター
140d：露出補正量を示すセグメント
140e：ISO表示セグメント
200：撮影レンズ
【図１】
2005142607.tif 000003
【図２】
2005142607.tif 000004
【図３】
2005142607.tif 000005
【図４】
2005142607.tif 000006
【図５】
2005142607.tif 000007
【図６】
2005142607.tif 000008
【図７】
2005142607.tif 000009
【図８】
2005142607.tif 000010
【図９】
2005142607.tif 000011
【図１０】
2005142607.tif 000012
【図１１】
2005142607.tif 000013